(57)【要約】本願は壁掛け式エアコン室内機１及び壁掛け式エアコンを開示する。壁掛け式エアコン室内機１は筐体１０、熱交換器グループ３０及び貫流ファン２０を含み、筐体１０の上部には吸気口を有し、熱交換器グループ３０は前方熱交換器３３０、中間熱交換器３２０及び後方熱交換器３１０を含み、貫流ファン２０のファン直径Ｄはｄミリ、後方熱交換器３１０と水平面との間で角度Ａを形成し、且つ角度Ａの開口は貫流ファン２０に向かうように設置され、角度Ａはａ度で、中間熱交換器３２０と水平面との間で角度Ｂを形成し、且つ角度Ｂの開口は貫流ファン２０に向かうように設置され、角度Ｂはｂ度で、前方熱交換器３３０と水平面との間の角度はＣで、且つ角度Ｃの開口は貫流ファン２０に向かうように設置され、角度Ｃはｃ度である。【選択図】図１
2020534497.tif 000002
【特許請求の範囲】
【請求項１】
壁掛け式エアコン室内機であって、
上部に吸気口を有する筐体と、
前記筐体内に設けられた熱交換器グループであって、前記熱交換器グループは前方熱交換器、中間熱交換器及び後方熱交換器を含み、前記中間熱交換器と前記後方熱交換器とは傾くように前記吸気口の下に設けられ、前記後方熱交換器は前記中間熱交換器の後方に設けられ、前記後方熱交換器は前記中間熱交換器の上端に近接し、且つ下端から離れ、前記前方熱交換器は前記中間熱交換器の下に設けられ、且つ前記前方熱交換器の上端と前記中間熱交換器の下端とは近接して設けられ、前記前方熱交換器、前記中間熱交換器及び前記後方熱交換器の三者の前記吸気口に背を向ける側はファン取り付けエリアを画成して形成する前記熱交換器グループと、
転動するように前記ファン取り付けエリア内に取り付けられ、ファン直径Ｄがｄミリである貫流ファンとを含み、
前記後方熱交換器の上端と前記中間熱交換器の上端とは水平隙間Ｈを有し、
前記後方熱交換器と水平面との間で角度Ａを形成し、且つ前記角度Ａの開口は前記貫流ファンに向かうように設置され、前記角度Ａはａ度で、前記中間熱交換器と水平面との間で角度Ｂを形成し、且つ前記角度Ｂの開口は前記貫流ファンに向かうように設置され、前記角度Ｂはｂ度で、前記前方熱交換器と水平面との間の角度はＣで、且つ前記角度Ｃの開口は前記貫流ファンに背を向けるように設置され、前記角度Ｃはｃ度であって、
前記ファン直径Ｄと前記角度Ａの数値は２．２≦ｄ／ａ≦２．６６の関係式を満たし、
前記ファン直径Ｄと前記角度Ｂの数値は２．１≦ｄ／ｂ≦２．６の関係式を満たし、
前記ファン直径Ｄと前記角度Ｃの数値は１．５≦ｄ／ｃ≦２．１８の関係式を満たす、壁掛け式エアコン室内機。
【請求項２】
前記ファン直径Ｄの範囲は１０５ミリ≦ｄ≦１２１ミリである請求項１に記載の壁掛け式エアコン室内機。
【請求項３】
複数の後方熱交換管は前記後方熱交換器の厚さ方向に沿って配列し三列に設置され、
複数の中間熱交換管は前記中間熱交換器の厚さ方向に沿って配列し三列に設置され、
複数の前方熱交換管は前記前方熱交換器の厚さ方向に沿って配列し三列に設置されている請求項１に記載の壁掛け式エアコン室内機。
【請求項４】
前記水平隙間Ｈがｈミリで、前記水平隙間Ｈと前記ファン直径Ｄの数値は６．６６≦ｄ／ｈ≦８．７５の関係式を満たす請求項３に記載の壁掛け式エアコン室内機。
【請求項５】
風上側に最も近い一列の後方熱交換管の数は他の二列の後方熱交換管の数より小さい、及び／又は、
風上側に最も近い一列の中間熱交換管の数は他の二列の中間熱交換管の数より小さい、及び／又は、
風下側に最も近い一列の前方熱交換管の数は他の二列の前方熱交換管の数より小さい請求項３に記載の壁掛け式エアコン室内機。
【請求項６】
風上側に最も近い一列の後方熱交換管の数は偶数で、他の二列の後方熱交換管の数は何れも奇数で、及び／又は、
風上側に最も近い一列の中間熱交換管の数は偶数で、他の二列の中間熱交換管の数は何れも奇数で、及び／又は、
風下側に最も近い一列の前方熱交換管の数は偶数で、他の二列の前方熱交換管の数は何れも奇数である請求項３に記載の壁掛け式エアコン室内機。
【請求項７】
前記中間熱交換器の上端と前記前方熱交換器の下端との間の垂直距離Ｍの範囲は、１６０ミリ≦Ｍ≦１７０ミリである請求項３に記載の壁掛け式エアコン室内機。
【請求項８】
前記後方熱交換器の後方熱交換フィンのフィン長さは１１０ミリから１５０ミリ、フィン幅は２７ミリから４０ミリであり、複数の前記後方熱交換管は前記後方熱交換フィンの幅方向に沿って三列に設置され、
前記中間熱交換器の中間熱交換フィンのフィン長さは１００ミリから１１５ミリ、フィン幅は２７ミリから４０ミリであり、複数の前記中間熱交換管は前記中間熱交換フィンの幅方向に沿って三列に設置され、
前記前方熱交換器の前方熱交換フィンのフィン長さは１００ミリから１１５ミリ、フィン幅は２７ミリから４０ミリであり、複数の前記前方熱交換管は前記前方熱交換フィンの幅方向に沿って三列に設置されている請求項３に記載の壁掛け式エアコン室内機。
【請求項９】
複数の後方熱交換管は前記後方熱交換器の厚さ方向に沿って配列し二列に設置され、
複数の中間熱交換管は前記中間熱交換器の厚さ方向に沿って配列し二列に設置され、
複数の前方熱交換管は前記前方熱交換器の厚さ方向に沿って配列し二列に設置されている請求項１に記載の壁掛け式エアコン室内機。
【請求項１０】
前記水平隙間Ｈがｈミリであり、
前記水平隙間Ｈと前記ファン直径Ｄの数値は６≦ｄ／ｈ≦１１．６の関係式を満たす請求項９に記載の壁掛け式エアコン室内機。
【請求項１１】
前記後方熱交換器の後方熱交換フィンのフィン長さは８０ミリから１０５ミリ、フィン幅は９ミリから２６ミリであり、複数の前記後方熱交換管は前記後方熱交換フィンの幅方向に沿って二列に設置され、
前記中間熱交換器の中間熱交換フィンのフィン長さは８０ミリから１２０ミリ、フィン幅は９ミリから２６ミリであり、複数の前記中間熱交換管は前記中間熱交換フィンの幅方向に沿って二列に設置され、
前記前方熱交換器の前方熱交換フィンのフィン長さは５０ミリから８０ミリ、フィン幅は９ミリから２６ミリであり、複数の前記前方熱交換管は前記前方熱交換フィンの幅方向に沿って二列に設置されている請求項９に記載の壁掛け式エアコン室内機。
【請求項１２】
前記中間熱交換器の上端と前記前方熱交換器の下端との間の垂直距離Ｍの範囲は、１５５ミリ≦Ｍ≦１７０ミリである請求項９に記載の壁掛け式エアコン室内機。
【請求項１３】
前記後方熱交換器の後方熱交換管の管径Ｄ１はＤ１≦６．３５ミリで、及び／又は、
前記中間熱交換器の中間熱交換管の管径Ｄ２はＤ２≦６．３５ミリで、及び／又は、
前記前方熱交換器の前方熱交換管の管径Ｄ３はＤ３≦６．３５ミリである請求項１に記載の壁掛け式エアコン室内機。
【請求項１４】
前記熱交換器グループは更に、前記中間熱交換器の風上側に設置されている背面熱交換器を含む請求項１に記載の壁掛け式エアコン室内機。
【請求項１５】
前記背面熱交換器の複数の背面熱交換管は背面熱交換フィンの長さ方向に沿って単列に設置されている請求項１４に記載の壁掛け式エアコン室内機。
【請求項１６】
前記背面熱交換管の管径Ｄ４の範囲は６．３５ミリ≦Ｄ４≦８ミリで、及び／又は、
前記背面熱交換管の数は偶数で、及び／又は、
前記背面熱交換フィンのフィン長さは７２ミリから８４ミリである請求項１５に記載の壁掛け式エアコン室内機。
【請求項１７】
前記筐体の本体高さＰの範囲はＰ≦２５０ミリ、前記熱交換器グループの頂端と前記筐体の頂端との間の間隔Ｎの範囲はＮ≧１５ミリである請求項１に記載の壁掛け式エアコン室内機。
【請求項１８】
前記熱交換器グループは更に、前記中間熱交換器の風上側に設置されている背面熱交換器を含む請求項３に記載の壁掛け式エアコン室内機。
【請求項１９】
前記熱交換器グループは更に、前記中間熱交換器の風上側に設置されている背面熱交換器を含む請求項９に記載の壁掛け式エアコン室内機。
【請求項２０】
壁掛け式エアコン室外機と壁掛け式エアコン室内機とを含み、前記壁掛け式エアコン室外機と前記壁掛け式エアコン室内機とは管路によって連通されている壁掛け式エアコンであって、前記壁掛け式エアコン室内機は、
上部に吸気口を有する筐体と、
前記筐体内に設けられた熱交換器グループであって、前記熱交換器グループは前方熱交換器、中間熱交換器及び後方熱交換器を含み、前記中間熱交換器と前記後方熱交換器とは傾くように前記吸気口の下に設けられ、前記後方熱交換器は前記中間熱交換器の後方に設けられ、前記後方熱交換器は前記中間熱交換器の上端に近接し、且つ下端から離れ、前記前方熱交換器は前記中間熱交換器の下に設けられ、且つ前記前方熱交換器の上端と前記中間熱交換器の下端とは近接して設けられ、前記前方熱交換器、前記中間熱交換器及び前記後方熱交換器の三者の前記吸気口に背を向ける側はファン取り付けエリアを画成して形成する前記熱交換器グループと、
転動するように前記ファン取り付けエリア内に取り付けられ、ファン直径Ｄがｄミリである貫流ファンとを含み、
前記後方熱交換器の上端と前記中間熱交換器の上端とは水平隙間Ｈを有し、
前記後方熱交換器と水平面との間で角度Ａを形成し、且つ前記角度Ａの開口は前記貫流ファンに向かうように設置され、前記角度Ａはａ度で、前記中間熱交換器と水平面との間で角度Ｂを形成し、且つ前記角度Ｂの開口は前記貫流ファンに向かうように設置され、前記角度Ｂはｂ度で、前記前方熱交換器と水平面との間の角度はＣで、且つ前記角度Ｃの開口は前記貫流ファンに背を向けるように設置され、前記角度Ｃはｃ度であって、
前記ファン直径Ｄと前記角度Ａの数値は２．２≦ｄ／ａ≦２．６６の関係式を満たし、
前記ファン直径Ｄと前記角度Ｂの数値は２．１≦ｄ／ｂ≦２．６の関係式を満たし、
前記ファン直径Ｄと前記角度Ｃの数値は１．５≦ｄ／ｃ≦２．１８の関係式を満たす壁掛け式エアコン。
【発明の詳細な説明】
【技術分野】
【０００１】
本願はエアコン技術の分野に関し、特に壁掛け式エアコン室内機及び壁掛け式エアコンに関する。
【背景技術】
【０００２】
人々の生活レベルの絶え間ない向上に伴い、エアコンもますます一般家庭に普及しつつあり、人々のエアコン性能への要求も高くなる一方である。とりわけ壁掛け式エアコンについては、その体積が小さく、取り付けが便利なため、広く利用されている。実際の生活では、室内空間の制限により、人々の壁掛け式エアコン室内機の本体体積への要求もますます高くなり、即ち、壁掛け式エアコン室内機の本体高さも小さくなりつつある。しかし、本体寸法の持続的な縮小に伴い、壁掛け式エアコン室内機の本体内部における熱交換システムの配列方式も変化し、ひいては壁掛け式エアコン室内機が高いエネルギー効率を有することを保証することは極めて難しい。
【発明の概要】
【発明が解決しようとする課題】
【０００３】
本願の主な目的は、高いエネルギー効率を有することを保証するように壁掛け式エアコン室内機を提供することである。
【課題を解決するための手段】
【０００４】
上記目的を達成するために、本願が提供する壁掛け式エアコン室内機は、上部に吸気口を有する筐体と、前記筐体内に設けられた熱交換器グループであって、前記熱交換器グループは前方熱交換器、中間熱交換器及び後方熱交換器を含み、前記中間熱交換器と前記後方熱交換器は傾くように前記吸気口の下に設けられ、前記後方熱交換器は前記中間熱交換器の後方に設けられ、前記後方熱交換器は前記中間熱交換器の上端に近接し、且つ下端から離れ、前記前方熱交換器は前記中間熱交換器の下に設けられ、且つ前記前方熱交換器の上端と前記中間熱交換器の下端とは近接して設けられ、前記前方熱交換器、前記中間熱交換器及び前記後方熱交換器の三者の前記吸気口に背を向ける側はファン取り付けエリアを画成して形成する前記熱交換器グループと、転動するように前記ファン取り付けエリア内に取り付けられ、ファン直径Ｄがｄミリメートル（以下では「ミリ」と略す）である貫流ファンとを含み、前記後方熱交換器の上端と前記中間熱交換器の上端は水平隙間Ｈを有し、前記後方熱交換器と水平面との間で角度Ａを形成し、且つ前記角度Ａの開口は前記貫流ファンに向かうように設置され、前記角度Ａはａ度で、前記中間熱交換器と水平面との間で角度Ｂを形成し、且つ前記角度Ｂの開口は前記貫流ファンに向かうように設置され、前記角度Ｂはｂ度で、前記前方熱交換器と水平面との間の角度はＣで、且つ前記角度Ｃの開口は前記貫流ファンに背を向けるように設置され、前記角度Ｃはｃ度であって、前記ファン直径Ｄと前記角度Ａの数値は２．２≦ｄ／ａ≦２．６６の関係式を満たし、前記ファン直径Ｄと前記角度Ｂの数値は２．１≦ｄ／ｂ≦２．６の関係式を満たし、前記ファン直径Ｄと前記角度Ｃの数値は１．５≦ｄ／ｃ≦２．１８の関係式を満たす。
【０００５】
一実施例において、前記ファン直径Ｄの範囲は１０５ミリ≦ｄ≦１２１ミリである。
【０００６】
一実施例において、複数の後方熱交換管は前記後方熱交換器の厚さ方向に沿って配列し三列に設置され、複数の中間熱交換管は前記中間熱交換器の厚さ方向に沿って配列し三列に設置され、複数の前方熱交換管は前記前方熱交換器の厚さ方向に沿って配列し三列に設置されている。
【０００７】
一実施例において、前記水平隙間Ｈがｈミリで、前記水平隙間Ｈと前記ファン直径Ｄの数値は６.６６≦ｄ／ｈ≦８.７５の関係式を満たす。
【０００８】
一実施例において、風上側に最も近い一列の後方熱交換管の数は他の二列の後方熱交換管の数より小さい、及び／又は、風上側に最も近い一列の中間熱交換管の数は他の二列の中間熱交換管の数より小さい、及び／又は、風下側に最も近い一列の前方熱交換管の数は他の二列の前方熱交換管の数より小さい。
【０００９】
一実施例において、風上側に最も近い一列の後方熱交換管の数は偶数で、他の二列の後方熱交換管の数は何れも奇数で、及び／又は、風上側に最も近い一列の中間熱交換管の数は偶数で、他の二列の中間熱交換管の数は何れも奇数で、及び／又は、風下側に最も近い一列の前方熱交換管の数は偶数で、他の二列の前方熱交換管の数は何れも奇数である。
【００１０】
一実施例において、前記中間熱交換器の上端と前記前方熱交換器の下端との間の垂直距離Ｍの範囲は１６０ミリ≦Ｍ≦１７０ミリである。
【００１１】
一実施例において、前記後方熱交換器の後方熱交換フィンのフィン長さは１１０ミリから１５０ミリ、フィン幅は２７ミリから４０ミリであり、複数の前記後方熱交換管は前記後方熱交換フィンの幅方向に沿って三列に設置され、前記中間熱交換器の中間熱交換フィンのフィン長さは１００ミリから１１５ミリ、フィン幅は２７ミリから４０ミリであり、複数の前記中間熱交換管は前記中間熱交換フィンの幅方向に沿って三列に設置され、前記前方熱交換器の前方熱交換フィンのフィン長さは１００ミリから１１５ミリ、フィン幅は２７ミリから４０ミリであり、複数の前記前方熱交換管は前記前方熱交換フィンの幅方向に沿って三列に設置されている。
【００１２】
一実施例において、複数の後方熱交換管は前記後方熱交換器の厚さ方向に沿って配列し二列に設置され、複数の中間熱交換管は前記中間熱交換器の厚さ方向に沿って配列し二列に設置され、複数の前方熱交換管は前記前方熱交換器の厚さ方向に沿って配列し二列に設置されている。
【００１３】
一実施例において、前記水平隙間Ｈがｈミリであり、前記水平隙間Ｈと前記ファン直径Ｄの数値は６≦ｄ／ｈ≦１１．６の関係式を満たす。
【００１４】
一実施例において、前記後方熱交換器の後方熱交換フィンのフィン長さは８０ミリから１０５ミリ、フィン幅は９ミリから２６ミリであり、複数の前記後方熱交換管は前記後方熱交換フィンの幅方向に沿って二列に設置され、前記中間熱交換器の中間熱交換フィンのフィン長さは８０ミリから１２０ミリ、フィン幅は９ミリから２６ミリであり、複数の前記中間熱交換管は前記中間熱交換フィンの幅方向に沿って二列に設置され、前記前方熱交換器の前方熱交換フィンのフィン長さは５０ミリから８０ミリ、フィン幅は９ミリから２６ミリであり、複数の前記前方熱交換管は前記前方熱交換フィンの幅方向に沿って二列に設置されている。
【００１５】
一実施例において、前記中間熱交換器の上端と前記前方熱交換器の下端との間の垂直距離Ｍの範囲は、１５５ミリ≦Ｍ≦１７０ミリである。
【００１６】
一実施例において、前記後方熱交換器の後方熱交換管の管径Ｄ１はＤ１≦６．３５ミリで、及び／又は、前記中間熱交換器の中間熱交換管の管径Ｄ２はＤ２≦６．３５ミリで、及び／又は、前記前方熱交換器の前方熱交換管の管径Ｄ３はＤ３≦６．３５ミリである。
【００１７】
一実施例において、前記熱交換器グループは更に、前記中間熱交換器の風上側に設置されている背面熱交換器を含む。
【００１８】
一実施例において、前記背面熱交換器の複数の背面熱交換管は背面熱交換フィンの長さ方向に沿って単列に設置されている。
【００１９】
一実施例において、前記背面熱交換管の管径Ｄ４の範囲は６．３５ミリ≦Ｄ４≦８ミリで、及び／又は、前記背面熱交換管の数は偶数で、及び／又は、前記背面熱交換フィンのフィン長さは７２ミリから８４ミリである。
【００２０】
一実施例において、前記筐体の本体高さＰの範囲はＰ≦２５０ミリ、前記熱交換器グループの頂端と前記筐体の頂端との間の間隔Ｎの範囲はＮ≧１５ミリである。
【００２１】
本願は更に、壁掛け式エアコン室外機と壁掛け式エアコン室内機とを含み、前記壁掛け式エアコン室外機と前記壁掛け式エアコン室内機は管路によって連通されている壁掛け式エアコンを提案し、前記壁掛け式エアコン室内機は、上部に吸気口を有する筐体と、前記筐体内に設けられた熱交換器グループであって、前記熱交換器グループは前方熱交換器、中間熱交換器及び後方熱交換器を含み、前記中間熱交換器と前記後方熱交換器とは傾くように前記吸気口の下に設けられ、前記後方熱交換器は前記中間熱交換器の後方に設けられ、前記後方熱交換器は前記中間熱交換器の上端に近接し、且つ下端から離れ、前記前方熱交換器は前記中間熱交換器の下に設けられ、且つ前記前方熱交換器の上端と前記中間熱交換器の下端とは近接して設けられ、前記前方熱交換器、前記中間熱交換器及び前記後方熱交換器の三者の前記吸気口に背を向ける側はファン取り付けエリアを画成して形成する前記熱交換器グループと、転動するように前記ファン取り付けエリア内に取り付けられ、ファン直径Ｄがｄミリである貫流ファンとを含み、前記後方熱交換器の上端と前記中間熱交換器の上端は水平隙間Ｈを有し、前記後方熱交換器と水平面との間で角度Ａを形成し、且つ前記角度Ａの開口は前記貫流ファンに向かうように設置され、前記角度Ａはａ度で、前記中間熱交換器と水平面との間で角度Ｂを形成し、且つ前記角度Ｂの開口は前記貫流ファンに向かうように設置され、前記角度Ｂはｂ度で、前記前方熱交換器と水平面との間の角度はＣで、且つ前記角度Ｃの開口は前記貫流ファンに背を向けるように設置され、前記角度Ｃはｃ度であって、前記ファン直径Ｄと前記角度Ａの数値は２．２≦ｄ／ａ≦２．６６の関係式を満たし、前記ファン直径Ｄと前記角度Ｂの数値は２．１≦ｄ／ｂ≦２．６の関係式を満たし、前記ファン直径Ｄと前記角度Ｃの数値は１．５≦ｄ／ｃ≦２．１８の関係式を満たす。
【００２２】
本願の技術案は、貫流ファンのファン直径Ｄ、熱交換器グループの中の各熱交換器と水平面との角度及び後方熱交換器の上端と中間熱交換器の上端との間の水平隙間Ｈに対する研究を通して、ファン直径Ｄと角度Ａの数値が２．２≦ｄ／ａ≦２．６６の関係式、ファン直径Ｄと角度Ｂの数値が２．１≦ｄ／ｂ≦２．６の関係式、ファン直径Ｄと角度Ｃの数値が１．５≦ｄ／ｃ≦２．１８の関係式を満たす時、熱交換器グループが比較的高いエネルギー効率を有する。これにより、筐体本体の高さが比較的小さい場合でも、熱交換器グループが優れた熱交換効果及び比較的良いエネルギー効率を有することを保証できる。
【図面の簡単な説明】
【００２３】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【００２４】
【図１】本願の壁掛け式エアコン室内機がハイパワー機種である場合の一実施例の構造模式図である。
【図２】本願の壁掛け式エアコン室内機がハイパワー機種である場合のもう１つの実施例の構造模式図である。
【図３】図２における熱交換器グループの構造模式図である。
【図４】本願の壁掛け式エアコン室内機の熱交換器グループに対し風速テスト実験を行う際のシミュレーション模式図である。
【図５】本願の壁掛け式エアコン室内機の熱交換器グループに対し風速テスト実験を行った速度分布曲線図である。
【図６】本願の壁掛け式エアコン室内機がハイパワー機種である場合の熱交換管の管径と熱交換器グループのエネルギー効率との曲線関係図である。
【図７】本願の壁掛け式エアコン室内機がハイパワー機種である場合に異なる熱交換器グループを採用し得られたエネルギー効率曲線図である。
【図８】本願の壁掛け式エアコン室内機がローパワー機種である場合の一実施例の構造模式図である。
【図９】本願の壁掛け式エアコン室内機がローパワー機種である場合のもう１つの実施例の構造模式図である。
【図１０】図９における熱交換器グループの構造模式図である。
【図１１】本願の壁掛け式エアコン室内機がローパワー機種である場合の熱交換管の管径と熱交換器グループのエネルギー効率との曲線関係図である。
【００２５】
添付図面を参照し、実施例と組み合わせて本願の目的の実現、機能特徴及び長所を説明する。
【発明を実施するための形態】
【００２６】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属す。
【００２７】
もし本願実施例で方向性指示（例えば上、下、左、右、前、後…）に関わる場合、当該方向性指示はある特定の姿勢（添付図面に示す）における各部品間の相対的位置関係、運動状況等を説明するためだけに用いられ、もし当該特定の姿勢が変わる場合、当該方向性指示も相応に変わることは説明すべきである。
【００２８】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」と限定されている特徴は明示的或いは暗示的に少なくとも一つの当該特徴を含んでもいい。また、全文において現れた「及び／又は」は三つの並行する案を含むことを意味する。「Ａ及び／又は」を例に取ると、Ａ案、或いはＢ案、或いはＡとＢとが同時に満たされる案を含むことになる。また、各実施例の技術案はお互いに組み合わせることができる。ただし、当業者が実現できることを前提にしなければならず、技術案の組み合わせに矛盾が生じるか、実現できない場合には、このような技術案の組み合わせが存在しない、且つ本願が請求する保護範囲にないと理解すべきである。
【００２９】
本願では壁掛け式エアコン室内機を提案する。
【００３０】
本願の一実施例において、図１から図３を参照し、且つ図８から図１０と組み合わせて、当該壁掛け式エアコン室内機１は、上部に吸気口を有する筐体１０と、前記筐体１０内に設けられた熱交換器グループ３０であって、前記熱交換器グループ３０は前方熱交換器３３０、中間熱交換器３２０及び後方熱交換器３１０を含み、前記中間熱交換器３２０と前記後方熱交換器３１０は傾くように前記吸気口の下に設けられ、前記後方熱交換器３１０は前記中間熱交換器３２０の後方に設けられ、前記後方熱交換器３１０は前記中間熱交換器３２０の上端に近接し、且つ下端から離れ、前記前方熱交換器３３０は前記中間熱交換器３２０の下に設けられ、且つ前記前方熱交換器３３０の上端と前記中間熱交換器３２０の下端とは近接して設けられ、前記前方熱交換器３３０、前記中間熱交換器３２０及び前記後方熱交換器３１０の三者の前記吸気口に背を向ける側はファン取り付けエリアを画成して形成する前記熱交換器グループ３０と、転動するように前記ファン取り付けエリア内に取り付けられ、ファン直径Ｄがｄミリである貫流ファン２０とを含み、前記後方熱交換器３１０の上端と前記中間熱交換器３２０の上端は水平隙間Ｈを有し、前記後方熱交換器３１０と水平面との間で角度Ａを形成し、且つ前記角度Ａの開口は前記貫流ファン２０に向かうように設置され、前記角度Ａはａ度で、前記中間熱交換器３２０と水平面との間で角度Ｂを形成し、且つ前記角度Ｂの開口は前記貫流ファン２０に向かうように設置され、前記角度Ｂはｂ度で、前記前方熱交換器３３０と水平面との間の角度はＣで、且つ前記角度Ｃの開口は前記貫流ファンに背を向けるように設置され、前記角度Ｃはｃ度であって、前記ファン直径Ｄと前記角度Ａの数値は２．２≦ｄ／ａ≦２．６６の関係式を満たし、前記ファン直径Ｄと前記角度Ｂの数値は２．１≦ｄ／ｂ≦２．６の関係式を満たし、前記ファン直径Ｄと前記角度Ｃの数値は１．５≦ｄ／ｃ≦２．１８の関係式を満たす。
【００３１】
具体的に、壁掛け式エアコン室内機１の運転過程において、室内の空気が吸気口に吸い込まれるように、貫流ファン２０が回転しそして筐体１０の吸気口において負圧を生成する。吸い込まれた空気は熱交換器グループ３０を通過し熱交換した後、再び筐体１０の送風口から室内に送り込まれることで、室内の空気の温度調節を実現する。壁掛け式エアコン室内機１について、吸気口は筐体１０の上部に位置し、熱交換器グループ３０は吸気口の下に位置する。当該熱交換器グループ３０は前方熱交換器３３０、中間熱交換器３２０及び後方熱交換器３１０からなる。中間熱交換器３２０と後方熱交換器３１０は傾くように吸気口の下に設置され、後方熱交換器３１０は中間熱交換器３２０の後方に設置され、後方熱交換器３１０は中間熱交換器３２０の上端に近接し、且つ下端から離れている。即ち、後方熱交換器３１０と中間熱交換器３２０の配置は「八」の字の形を呈して設置されている。前方熱交換器３３０は中間熱交換器３２０の下に位置する。前方熱交換器３３０、中間熱交換器３２０及び後方熱交換器３１０は共に囲むようにファン取り付けエリアを形成する。貫流ファン２０は転動するように当該ファン取り付けエリアに取り付けられる。ここで、貫流ファン２０のファン直径Ｄはｄミリで、しかし１０５ミリ≦ｄ≦１２１ミリである。ここで、貫流ファン２０のファン直径Ｄは１１８ミリであるのが好ましい。
【００３２】
筐体１０の本体高さの減少に伴い、筐体１０の内部空洞が比較的小さくなり、熱交換器グループ３０の熱交換効果を保証するため、熱交換器グループ３０は以下の方法で配置される。後方熱交換器３１０と水平面との間に角度Ａ、中間熱交換器３２０と水平面との間に角度Ｂ、前方熱交換器３３０と水平面との間に角度Ｃを形成する。ただし、角度Ａ、角度Ｂの開口は前記貫流ファン２０に向かうように設置され、角度Ｃの開口は貫流ファン２０に背を向けるように設置されている。
【００３３】
なお、貫流ファン２０のファン直径が比較的大きく、貫流ファン２０の影響を受けるので、筐体１０内部空間が比較的小さい場合、熱交換器グループ３０が予め設定された角度で配置することを保証するために、後方熱交換器３１０の上端と中間熱交換器３２０の上端の間には水平隙間Ｈがあることで、熱交換器グループ３０の配置を容易にする。
【００３４】
なお、上記壁掛け式エアコン室内機１について、その筐体１０の本体高さＰの範囲はＰ≦２５０ミリ、熱交換器グループ３０の頂端と筐体１０頂端との間の間隔Ｎの範囲はＮ≧１５ミリである。こうすると、筐体１０本体高さが比較的小さい場合でも、熱交換器グループ３０を筐体１０内に取り付けることを容易にできるとともに、空気が均一的に熱交換器グループ３０を通過し熱交換を行い、筐体１０の体積が小さいことによる熱交換効果の低下という欠陥を取り除く。
【００３５】
熱交換器グループ３０が比較的高いエネルギー効率を有することを保証するため、更に熱交換器グループ３０のエネルギー効率に対する影響要素を研究する結果、貫流ファン２０のファン直径Ｄと熱交換器グループ３０におけるそれぞれの熱交換器の傾斜角度との比が熱交換器グループ３０のエネルギー効率に影響する要素であることを発見した。本実施例において、貫流ファン２０のファン直径Ｄと熱交換器グループ３０におけるそれぞれの熱交換器の傾斜角度との比に対し複数回の実験を行い、その実験の結果は、以下に示すようになる。
【表１】
2020534497.tif 000003
【表２】
2020534497.tif 000004
【表３】
2020534497.tif 000005
【００３６】
上記表１について、実験１、実験２と実験３の実験方法では、それぞれ一組の実験における貫流ファン２０の直径、中間熱交換器３２０と水平面との角度Ｂ、及び前方熱交換器３３０と水平面との角度Ｃは何れも固定であって、後方熱交換器３１０と水平面との角度Ａを変えることで異なるｄ／ａの数値を得ることにより、実験を通して熱交換器グループ３０のエネルギー効率値を得る。ここで、貫流ファン２０のファン直径Ｄ、中間熱交換器３２０と水平面との角度Ｂ、及び前方熱交換器３３０と水平面との角度Ｃ等を変える方法で、それぞれ実験１、実験２及び実験３の実験条件を得る。表１の内容からわかるように、ファン直径Ｄと角度Ａの数値は２．２≦ｄ／ａ≦２．６６の関係式を満たし、この時、熱交換器グループ３０は比較的高いエネルギー効率を有する。
【００３７】
上記表２について、実験４、実験５と実験６の実験方法では、それぞれ一組の実験における貫流ファン２０の直径、後方熱交換器３１０と水平面との角度Ａ、及び前方熱交換器３３０と水平面との角度Ｃは何れも固定であって、中間熱交換器３２０と水平面との角度Ｂを変えることで異なるｄ／ｂの数値を得ることにより、実験を通して熱交換器グループ３０のエネルギー効率値を得る。ここで、貫流ファン２０のファン直径Ｄ、後方熱交換器３１０と水平面との角度Ａ、及び前方熱交換器３３０と水平面との角度Ｃ等を変える方法で、それぞれ実験４、実験５及び実験６の実験条件を得る。表２の内容からわかるように、ファン直径Ｄと角度Ｂの数値は２．１≦ｄ／ｂ≦２．６の関係式を満たし、この時、熱交換器グループ３０は比較的高いエネルギー効率を有する。
【００３８】
上記表３について、実験７、実験８と実験９の実験方法では、それぞれ一組の実験における貫流ファン２０の直径、後方熱交換器３１０と水平面との角度Ａ、及び中間熱交換器３２０と水平面との角度Ｂは何れも固定であって、前方熱交換器３３０と水平面との角度Ｃを変えることで異なるｄ／ｃの数値を得ることにより、実験を通して熱交換器グループ３０のエネルギー効率値を得る。ここで、貫流ファン２０のファン直径Ｄ、後方熱交換器３１０と水平面との角度Ａ、及び中間熱交換器３２０と水平面との角度Ｂ等を変える方法で、それぞれ実験７、実験８及び実験９の実験条件を得る。表３の内容からわかるように、ファン直径Ｄと角度Ａの数値は１．５≦ｄ／ｃ≦２．１８の関係式を満たし、この時、熱交換器グループ３０は比較的高いエネルギー効率を有する。
【００３９】
上記熱交換器グループ３０について、その後方熱交換器３１０と水平面との角度Ａの角度範囲は４５.５度から５０度で、中間熱交換器３２０と水平面との角度Ｂの角度範囲は４５.５度から５２度で、前方熱交換器３３０と水平面との角度Ｃの角度範囲は６０度から７５度である。後方熱交換器３１０、中間熱交換器３２０、前方熱交換器３３０それぞれの傾斜具合を調整することで、角度Ａ、角度Ｂ及び角度Ｃの角度値を変えることができ、角度Ａ、角度Ｂと角度Ｃの角度値及び／又は貫流ファン２０のファン直径Ｄを変えることにより、ａ、ｂ、ｃ、ｄ四者が２．２≦ｄ／ａ≦２．６６、２．１≦ｄ／ｂ≦２．６、１．５≦ｄ／ｃ≦２．１８の関係式を満たすように、ｄ／ａ、ｄ／ｂ、ｄ／ｃに対し相応の調整を行え、後方熱交換器３１０、中間熱交換器３２０、前方熱交換器３３０の何れも比較的高いエネルギー効率を有することを保証することは、理解できる。一つの具体的な実施案において、貫流ファン２０のファン直径Ｄが１１８ミリ、角度Ａが４６度、角度Ｂが４６度、角度Ｃが６５度であるのが好ましい。この時、ｄ／ａの数値は２．５６で、ｄ／ｂの数値が２．５６で、ｄ／ｃの数値は１．８２である。
【００４０】
上記熱交換器グループ３０と貫流ファン２０との間の配置方法は後方熱交換器３１０の上端と中間熱交換器３２０の上端が水平隙間Ｈを有することを前提に実現されたのである。つまり、上記熱交換器グループ３０と貫流ファン２０との間の配置方法は筐体１０の本体高さが比較的低い機種に適応することは、説明すべきである。こうすると、筐体１０の本体高さが比較的小さい場合でも、熱交換器グループ３０が比較的高いエネルギー効率を有するようにできる。
【００４１】
熱交換器グループ３０はフィン式構造を採用する。即ち、後方熱交換器３１０、中間熱交換器３２０及び前方熱交換器３３０は何れも対応する熱交換フィン及び熱交換管により構成されている。具体的には、後方熱交換器３１０について、後方熱交換フィン３１１と後方熱交換管を含み、複数の後方熱交換フィン３１１は後方熱交換管に穿設され、中間熱交換器３２０について、中間熱交換フィン３２１と中間熱交換管を含み、複数の中間熱交換フィン３２１は中間熱交換管に穿設され、前方熱交換器３３０について、前方熱交換フィン３３１と前方熱交換管を含み、複数の前方熱交換フィン３３１は前方熱交換管に穿設されている。
【００４２】
中間熱交換器３２０での風速は後方熱交換器３１０と前方熱交換器３３０での風速より大きいため、中間熱交換器３２０の熱交換器グループ３０全体の熱交換効果への影響が比較的大きい。中間熱交換器３２０の良好な熱交換効果を保証するために、以下では、中間熱交換フィン３２１のフィン長さについて関連の実験を行って研究し、具体的な実験データについては下記表の示す通りである。
【表４】
2020534497.tif 000006
2020534497.tif 000007
2020534497.tif 000008
【００４３】
図４は熱交換器グループ３０に対し風速テスト実験を行う際のシミュレーション模式図であって、後方熱交換器３１０の表面（風上側）には１、２、３、４、５、６、７号風速測定ポイントが設置され、中間熱交換器３２０の表面（風上側）には８、９、１０、１１、１２、１３、１４、１５号風速測定ポイントが設置され、前方熱交換器３３０の表面（風上側）には１６、１７、１８、１９号風速測定ポイントが設置されている。一方で、上記表４は各風速測定ポイントでの実験データで、中間熱交換フィン３２１のフィン長さが１１０ミリである時、中間熱交換器３２０の表面風速が最も大きくなる。図５は図４において熱交換器グループ３０が風速測定実験を行う際の風速曲線図である。図５の開示内容からわかるように、中間熱交換器３２０での風速は後方熱交換器３１０と前方熱交換器３３０での風速より大きく、更に、中間熱交換器３２０の熱交換器グループ３０全体の熱交換効果への影響が比較的大きい。
【００４４】
更に、上記熱交換器グループ３０について、熱交換効果を保証するために、後方熱交換管の管径Ｄ１はＤ１≦６．３５ミリ、且つ／または、中間熱交換管の管径Ｄ２はＤ２≦６．３５ミリ、且つ／または、前方熱交換管の管径Ｄ３はＤ３≦６．３５ミリである。
【００４５】
本体高さが比較的小さい機種について、熱交換効果の要求により、ハイパワー機種とローパワー機種の二種類に分けることができる。ハイパワー機種について、熱交換器グループ３０の前方熱交換器３３０、中間熱交換器３２０と後方熱交換器３１０は何れも三列の熱交換管によって形成されている。ローパワー機種について、熱交換器グループ３０の前方熱交換器３３０、中間熱交換器３２０と後方熱交換器３１０は何れも二列の熱交換管によって形成されている。
【００４６】
以下では、上記のハイパワー機種について、本壁掛け式エアコン室内機１の具体的な構造を具体的に説明する。
複数の後方熱交換管が後方熱交換器３１０の厚み方向に沿って三列に設置され、複数の中間熱交換管が中間熱交換器３２０の厚み方向に沿って三列に設置され、複数の前方熱交換管が前方熱交換器３３０の厚み方向に沿って三列に設置されている。後方熱交換器３１０は複数の後方熱交換フィン３１１と複数の後方熱交換管を含み、複数の後方熱交換管は複数の熱交換フィン３１１を貫通し、複数の熱交換管は管路によって互いに連通されているか、直接接続されている。中間熱交換器３２０は複数の中間熱交換フィン３２１と複数の中間熱交換管を含み、複数の中間熱交換管が複数の中間熱交換フィン３２１を貫通し、複数の中間熱交換管は管路によって互いに連通するか、直接接続され、前方熱交換器３３０は複数の前方熱交換フィン３３１と複数の前方熱交換管を含み、複数の前方熱交換管が複数の前方熱交換フィン３３１を貫通し、複数の前方熱交換管は管路によって互いに連通するか、直接接続されていることは、理解できる。三列の熱交換管の構造を設置することにより、その熱交換面積は高められ、熱交換器グループ３０の熱交換効果を高めることにより、ハイパワー機種の熱交換需要を満たすことは理解できる。
【００４７】
上記熱交換器グループ３０について、後方熱交換管が後方熱交換フィン３１１の長さ方向に沿って離間して複数穿設され、且つ後方熱交換管が後方熱交換フィン３１１の幅方向に沿って三列に設置されている。後方熱交換管の穿設を容易にするために、本実施例では、後方熱交換フィン３１１のフィン長さは１１０ミリから１５０ミリで、フィン幅は２７ミリから４０ミリである。
【００４８】
同じ理由に基づいて、中間熱交換管が中間熱交換フィン３２１の長さ方向に沿って離間して複数穿設され、且つ中間熱交換管が中間熱交換フィン３２１の幅方向に沿って三列に設置されている。中間熱交換管の穿設を容易にするために、本実施例では、中間熱交換フィン３２１のフィン長さは１００ミリから１１５ミリで、フィン幅は２７ミリから４０ミリである。
【００４９】
同じ理由に基づいて、前方熱交換管が前方熱交換フィン３３１の長さ方向に沿って離間して複数穿設され、且つ前方熱交換管が前方熱交換フィン３３１の幅方向に沿って三列に設置されている。前方熱交換管の穿設を容易にするために、本実施例では、前方熱交換フィン３３１のフィン長さは１００ミリから１１５ミリで、フィン幅は２７ミリから４０ミリである。
【００５０】
熱交換器グループ３０の熱交換効果を高めるため、本実施例では、後方熱交換管、中間熱交換管及び前方熱交換管の管径に対し更に最適化する。図６に示すように、後方熱交換管の管径Ｄ１が５ミリ、中間熱交換管の管径Ｄ２が５ミリ、前方熱交換管の管径が５ミリであるのが好ましく、この時熱交換器グループ３０のエネルギー効率値が比較的良くなっている。それに、上記ローパワー機種（例えば冷房能力５６００ワットである機種５６）については、その熱交換器グループ３０のエネルギー効率要求には一定の制限があって、そのエネルギー効率値が５．１５以上であることが要求されていることは説明すべきである。図６からわかるように、後方熱交換管の管径Ｄ１が５ミリ、中間熱交換管の管径Ｄ２が５ミリ、前方熱交換管の管径が５ミリである時、熱交換器グループ３０のエネルギー効率値が５．２８であって、即ち以上の要求を満たす。
【００５１】
上記ハイパワー機種について、熱交換器グループ３０エネルギー効率の影響要素について更に研究した結果、上記水平隙間Ｈとファン直径Ｄとの比の大きさも熱交換器グループ３０エネルギー効率に影響する重要な要素の一つであることが発見された。本実施例において、後方熱交換器３１０と中間熱交換器３２０との間の水平間隔を調整する方法で複数回の実験（同一の熱交換器グループ３０、前方熱交換器３３０、後方熱交換器３１０及び中間熱交換器３２０と水平面との間の角度を一致するように保ち、異なる直径寸法の貫流ファン２０を採用するか、または水平間隔Ｈの大きさを変更することで複数グループの異なる実験データを得る）を行い、その実験結果を以下に示す。
【表５】
2020534497.tif 000009
【００５２】
表５のデータからわかるように、水平隙間Ｈとファン直径Ｄの数値が６.６６≦ｄ／ｈ≦８．７５の関係式を満たす時、その熱交換器グループ３０のエネルギー効率が比較的良い。
【００５３】
筐体１０の体積が比較的小さいので、筐体１０における中間熱交換器グループ３０の配列に適するように、熱交換器グループ３０の体積の減少を容易にするため、本実施例では、後方熱交換器３１０、中間熱交換器３２０及び前方熱交換器３３０の形状に対し調整を行った。ここで、後方熱交換器３１０と中間熱交換器３２０の風上側は筐体１０と当接干渉しやすいため、更に後方熱交換器３１０と中間熱交換器３２０それぞれの風上側の長さを小さくする。前方熱交換器３３０の風下側の長さが大きすぎる場合、形成される渦巻風路の空間が比較的小さくなることにつながる故、更に前方熱交換器３３０の風下側の長さを縮小することで、前方熱交換器３３０の渦巻風路に対する影響の減少を容易にできる。後方熱交換器３１０と中間熱交換器３２０について、風上側の角位置を削除する方法で、両者の筐体１０内への取り付けを容易にするように、風上側の長さを減少し、更に後方熱交換器３１０と中間熱交換器３２０との筐体１０の体積への占用を減少できる。前方熱交換器３３０について、風下側の角位置を削除する方法で、風下側の長さを減少し、更に前方熱交換器３３０の渦巻風路の空間への占有を減少できる。
【００５４】
熱交換効果を保証するため、後方熱交換管は均一に後方熱交換器３１０に配置され、中間熱交換管は均一に中間熱交換器３２０に配置されている。後方熱交換器３１０と中間熱交換器３２０における風上側の長さは風下側の長さより小さいため、風上側に最も近い一列の後方熱交換管の数は、他の二列の中の後方熱交換管の数より少なくなり、及び／又は、風上側に最も近い一列の中間熱交換管の数は、他の二列の中の中間熱交換管の数より少なくなる。同じ理由に基づいて、熱交換効果を保証するため、前方熱交換管は均一に前方熱交換器３３０に配置されている。これにより、風上側に最も近い一列の前方熱交換管の数は、他の二列の前方熱交換管の数より少なくなる。
【００５５】
更に、後方熱交換器３１０について、隣り合う二つの後方熱交換管の間の接続をしやすくするため、後方熱交換管の総管数は通常偶数である。後方熱交換器３１０の風上側の長さが比較的小さいため、風上側に最も近い列の後方熱交換管の数を偶数にし、他の二列の後方熱交換管の数を何れも奇数にしてもいい。
【００５６】
同様に、中間熱交換器３２０について、隣り合う二つの中間熱交換管の間の接続をしやすくするため、中間熱交換管の総管数は通常偶数である。中間熱交換器３２０の風上側の長さが比較的小さいため、風上側に最も近い列の中間熱交換管の数を偶数にし、他の二列の中間熱交換管の数を何れも奇数にしてもいい。
【００５７】
同様に、前方熱交換器３３０について、隣り合う二つの前方熱交換管の間の接続をしやすくするため、前方熱交換管の総管数は通常偶数である。前方熱交換器３３０の風下側の長さが比較的小さいため、風下側に最も近い列の前方熱交換管の数を偶数にし、他の二列の前方熱交換管の数を何れも奇数にしてもいい。
【００５８】
更に、本実施例において、筐体１０の本体高さが比較的小さいため、熱交換器グループ３０の取り付けを容易にするため、当該中間熱交換器３２０の上端と前方熱交換器３３０の下端との間の垂直距離をＭとすると、当該垂直距離Ｍは１６０ミリ≦Ｍ≦１７０ミリの関係を満たす。
【００５９】
上記実施例におけるハイパワー機種については、更に背面熱交換器３４０を増設する方法でその熱交換器グループ３０の熱交換効果を更に改善できる。以下では、当該背面熱交換器３４０の構造を具体的に説明する。
上記熱交換器グループ３０は更に背面熱交換器３４０を含み、背面熱交換器３４０は中間熱交換器３２０の風上側に設置され、即ち、背面熱交換器３４０は中間熱交換器３２０の貫流ファン２０に背を向ける側に位置し、吸気口から筐体１０に入った空気は背面熱交換器３４０と中間熱交換器３２０をこの順に通過し、熱交換を行う。背面熱交換器３４０は背面熱交換フィン３４１と背面熱交換管を含み、複数の背面熱交換フィン３４１が複数の並列して設置された背面熱交換管に穿設されている。
【００６０】
なお、図４から図５の内容からわかるように、前方熱交換器３３０及び後方熱交換器３１０と比べ、中間熱交換器３２０表面での風速が比較的高く、更に中間熱交換器３２０の風上側に背面熱交換器３４０を設置することで、空気がまず背面熱交換器３４０を通過してから中間熱交換器３２０へ流れるようにできる。これにより、一方では、熱交換器グループ３０と空気との熱交換面積を高め、もう一方では、中間熱交換器３２０表面の空気流速が背面熱交換器３４０を通過した後で衰え、更に中間熱交換器３２０表面の風速を下げ、中間熱交換器３２０の熱交換をより十分にする。
【００６１】
更に、上記背面熱交換器３４０について、筐体１０内空間への占有を減少させるため、当該背面熱交換器３４０の複数の背面熱交換管が背面熱交換フィン３４１の長さ方向に沿って単列に設置されている。これにより更に比較的小さい筐体１０内での背面熱交換器３４０の取り付けを容易にする。
【００６２】
更に、上記背面熱交換管の管径Ｄ４の範囲は６．３５ミリ≦Ｄ４≦８ミリで、背面熱交換器３４０内での背面熱交換器３４０の取り付けを容易にするため、当該背面熱交換管の数は偶数である。上記背面熱交換フィン３４１のフィン長さは７２ミリから８４ミリで、ここで、当該背面熱交換フィン３４１上に設置できる背面熱交換管の数は４から６であるのが好ましい。
【００６３】
図７を参照し、図７は本ハイパワー機種が異なるスペックの熱交換器グループ３０を採用する場合に生成されたエネルギー効率分布模式図である。
実施例Ｅ１において、熱交換器グループ３０は後方熱交換器３１０、中間熱交換器３２０及び前方熱交換器３３０だけを含み、後方熱交換管の総個数が２０個で、後方熱交換管の直径が５ミリ、中間熱交換管の総個数が２０個で、中間熱交換管の直径が７ミリ、前方熱交換管の総個数が１４個で、前方熱交換管の直径が５ミリで、この時熱交換器グループ３０のエネルギー効率値は４．９５である。
実施例Ｅ２において、熱交換器グループ３０は後方熱交換器３１０、中間熱交換器３２０及び前方熱交換器３３０だけを含み、後方熱交換管の総個数が２０個で、後方熱交換管と中間熱交換管の総個数の和が４０個で、後方熱交換管の直径が７ミリ、中間熱交換管の直径が５ミリ、前方熱交換管の直径が５ミリで、この時熱交換器グループ３０のエネルギー効率値は５．１である。
実施例Ｅ３において、熱交換器グループ３０は後方熱交換器３１０、中間熱交換器３２０及び前方熱交換器３３０だけを含み、後方熱交換管の総個数が２０個で、後方熱交換管の直径が５ミリ、中間熱交換管の総個数が２６個で、中間熱交換管の直径が５ミリ、前方熱交換管の総個数が１４個で、前方熱交換管の直径が５ミリで、この時熱交換器グループ３０のエネルギー効率値は５．２５である。
実施例Ｅ４において、熱交換器グループ３０は後方熱交換器３１０、中間熱交換器３２０、前方熱交換器３３０及び背面熱交換器３４０を含み、後方熱交換管の総個数が２０個で、後方熱交換管の直径が５ミリ、中間熱交換管の総個数が２６個で、中間熱交換管の直径が５ミリ、前方熱交換管の総個数が１４個で、前方熱交換管の直径が５ミリ、背面熱交換管の直径が７ミリで、背面熱交換管の総個数が４個、この時熱交換器グループ３０のエネルギー効率値は５．３５である。
実施例Ｅ５において、熱交換器グループ３０は後方熱交換器３１０、中間熱交換器３２０、前方熱交換器３３０及び背面熱交換器３４０を含み、後方熱交換管の総個数が２０個で、後方熱交換管の直径が５ミリ、中間熱交換管の総個数が２４個で、中間熱交換管の直径が５ミリ、前方熱交換管の総個数が１４個で、前方熱交換管の直径が５ミリ、背面熱交換管の総個数が４個で、背面熱交換管の直径が７ミリ、この時熱交換器グループ３０のエネルギー効率値は５．３５である。
実施例Ｅ６において、熱交換器グループ３０は後方熱交換器３１０、中間熱交換器３２０、前方熱交換器３３０及び背面熱交換器３４０を含み、後方熱交換管の総個数が２０個で、後方熱交換管の直径が５ミリ、中間熱交換管の総個数が２８個で、中間熱交換管の直径が５ミリ、前方熱交換管の総個数が１２個で、前方熱交換管の直径が５ミリ、背面熱交換管の総個数が４個で、背面熱交換管の直径が７ミリ、この時熱交換器グループ３０のエネルギー効率値は５．１８である。
【００６４】
図７を参照し、且つ上記実験結果から分かるように、熱交換器グループ３０は後方熱交換器３１０、中間熱交換器３２０、前方熱交換器３３０及び背面熱交換器３４０を含み、後方熱交換管の総個数が２０個で、後方熱交換管の直径が５ミリ、中間熱交換管の総個数が２６個で、中間熱交換管の直径が５ミリ、前方熱交換管の総個数が１４個で、前方熱交換管の直径が５ミリ、背面熱交換管の直径が７ミリで、背面熱交換管の総個数が４個である時、熱交換器グループ３０のエネルギー効率値は最良である。
【００６５】
以下では、ローパワー機種について、本壁掛け式エアコン室内機１の熱交換器グループ３０のもう１つの実施例の構造を具体的に説明する。
図８から図１０を参照し、後方熱交換器３１０について、複数の後方熱交換管が後方熱交換器３１０の厚み方向に沿って二列に設置され、複数の中間熱交換管が前記中間熱交換器３２０の厚み方向に沿って二列に設置され、複数の前方熱交換管が前記前方熱交換器３３０の厚み方向に沿って二列に設置されている。
【００６６】
熱交換器グループ３０の各熱交換器は何れもローパワー機種の熱交換需要を満たす二列の熱交換管を有することは理解できる。
【００６７】
上記熱交換器グループについて、後方熱交換管が後方熱交換フィン３１１の長さ方向に沿って離間して複数穿設され、且つ後方熱交換管が後方熱交換フィン３１１の幅方向に沿って二列に設置されている。後方熱交換管の穿設を容易にするために、本実施例では、後方熱交換フィン３１１のフィン長さは１１０ミリから１５０ミリで、フィン幅は９ミリから２６ミリである。
【００６８】
同じ理由に基づいて、中間熱交換管が中間熱交換フィン３２１の長さ方向に沿って離間して複数穿設され、且つ中間熱交換管が中間熱交換フィン３２１の幅方向に沿って二列に設置されている。中間熱交換管の穿設を容易にするために、本実施例では、中間熱交換フィン３２１のフィン長さは１００ミリから１１５ミリで、フィン幅は９ミリから２６ミリである。
【００６９】
同じ理由に基づいて、前方熱交換管が前方熱交換フィン３３１の長さ方向に沿って離間して複数穿設され、且つ前方熱交換管が前方熱交換フィン３３１の幅方向に沿って二列に設置されている。前方熱交換管の穿設を容易にするために、本実施例では、前方熱交換フィン３３１のフィン長さは１００ミリから１１５ミリで、フィン幅は９ミリから２６ミリである。
【００７０】
熱交換器グループ３０の熱交換効果を高めるため、本実施例では、後方熱交換管、中間熱交換管及び前方熱交換管の管径に対し更に最適化する。図１１を参照し、後方熱交換管の管径Ｄ１が５ミリ、中間熱交換管の管径Ｄ２が５ミリ、前方熱交換管の管径が５ミリであるのが好ましく、この時熱交換器グループ３０のエネルギー効率値が比較的良くなっている。それに、上記ローパワー機種（例えば冷房能力２８００ワットである機種２８）については、その熱交換器グループ３０のエネルギー効率要求には一定の制限があって、そのエネルギー効率値が６．０以上であることが要求されていることは説明すべきである。図１１からわかるように、後方熱交換管の管径Ｄ１が５ミリ、中間熱交換管の管径Ｄ２が５ミリ、前方熱交換管の管径が５ミリである時、熱交換器グループ３０のエネルギー効率値が６．２であって、即ち以上の要求を満たす。
【００７１】
上記熱交換器グループ３０エネルギー効率の影響要素について更に研究し、上記水平隙間Ｈとファン直径Ｄとの比の大きさも熱交換器グループ３０エネルギー効率に影響する重要な要素の一つであることが発見された。本実施例において、後方熱交換器３１０と中間熱交換器３２０との間の水平間隔を調整する方法で複数回の実験（同一の熱交換器グループ３０、前方熱交換器３３０、後方熱交換器３１０及び中間熱交換器３２０と水平面との間の角度を一致するように保ち、異なる直径寸法の貫流ファン２０を採用するか、または水平間隔Ｈの大きさを変更することで複数グループの異なる実験データを得る）を行い、その実験結果を以下に示す。
【表６】
2020534497.tif 000010
【００７２】
表６のデータからわかるように、水平隙間Ｈとファン直径Ｄの数値が６≦ｄ／ｈ≦１１．６の関係式を満たす時、その熱交換器グループ３０のエネルギー効率が比較的良い。
後方熱交換器３１０が比較的良い熱交換効果を有することを保証するために、当該後方熱交換器３１０の一列あたりの後方熱交換管の数は６〜８個で、同じ理由で、前方熱交換器３３０が比較的良い熱交換効果を有することを保証するために、中間熱交換器３２０の一列あたりの中間熱交換管の数は６〜８個で、前方熱交換器３３０が比較的良い熱交換効果を有することを保証するために、前方熱交換器３３０の一列あたりの後方熱交換管の数は４〜６個である。
【００７３】
更に、本実施例において、筐体１０の本体高さが比較的小さいため、熱交換器グループ３０の取り付けを容易にするため、当該中間熱交換器３２０の上端と前方熱交換器３３０の下端との間の垂直距離をＭとすると、当該垂直距離Ｍは１５５ミリ≦Ｍ≦１７０ミリの関係を満たす。
【００７４】
上記実施例におけるローパワー機種については、更に背面熱交換器３４０を増設する方法でその熱交換器グループ３０の熱交換効果を更に改善できる。以下では、当該背面熱交換器３４０の構造を具体的に説明する。
上記熱交換器グループ３０は更に背面熱交換器３４０を含み、背面熱交換器３４０は中間熱交換器３２０の風上側に設置され、即ち、背面熱交換器３４０は中間熱交換器３２０の貫流ファン２０に背を向ける側に位置し、吸気口から筐体１０に入った空気は背面熱交換器３４０と中間熱交換器３２０をこの順に通過し、熱交換を行う。
【００７５】
なお、前方熱交換器３３０及び後方熱交換器３１０と比べ、中間熱交換器３２０表面での風速が比較的高く、更に中間熱交換器３２０の風上側に背面熱交換器３４０を設置することで、空気がまず背面熱交換器３４０を通過してから中間熱交換器３２０へ流れるようにできる。これにより、一方では、熱交換器グループ３０と空気との熱交換面積を高め、もう一方では、中間熱交換器３２０表面の空気流速が背面熱交換器３４０を通過した後で衰え、更に中間熱交換器３２０表面の風速を下げ、中間熱交換器３２０の熱交換をより十分にする。
【００７６】
更に、上記背面熱交換器３４０について、筐体１０内空間への占有を減少させるため、当該背面熱交換器３４０の複数の背面熱交換管は背面熱交換器３４０の厚さ方向に沿って単列に設置されている。こうすると、比較的小さい筐体１０内での背面熱交換器３４０の取り付けを実現できる。
【００７７】
更に、上記背面熱交換管の管径Ｄ４の範囲は６．３５ミリ≦Ｄ４≦８ミリで、背面熱交換器３４０内での背面熱交換器３４０の取り付けを容易にするため、当該背面熱交換管の数は偶数である。上記背面熱交換フィン３４１のフィン長さは７２ミリから８４ミリで、ここで、当該背面熱交換フィン３４１上に設置できる背面熱交換管の数は４から６であるのが好ましい。
【００７８】
本願はまた、エアコン室外機と壁掛け式エアコン室内機を含み、壁掛け式エアコン室外機と壁掛け式エアコン室内機が管路によって連通されている壁掛け式エアコンを提案する。当該壁掛け式エアコン室内機の具体的な構造については、前記実施例を参照されたい。本壁掛け式エアコンは上記全ての実施例の全ての技術案を採用したので、少なくとも上記実施例の技術案がもたらす全ての有益効果を有し、ここでは逐一贅言しない。
【００７９】
以上に述べたことは本願の好ましい実施例にすぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００８０】
１  壁掛け式エアコン室内機
１０  筐体
２０  貫流ファン
３０  熱交換器グループ
３１１  後方熱交換フィン
３２１  中間熱交換フィン
３１０  後方熱交換器
３２０  中間熱交換器
３３０  前方熱交換器
３４０  背面熱交換器
３３１  前方熱交換フィン
３４１  背面熱交換フィン
【図１】
2020534497.tif 000011
【図２】
2020534497.tif 000012
【図３】
2020534497.tif 000013
【図４】
2020534497.tif 000014
【図５】
2020534497.tif 000015
【図６】
2020534497.tif 000016
【図７】
2020534497.tif 000017
【図８】
2020534497.tif 000018
【図９】
2020534497.tif 000019
【図１０】
2020534497.tif 000020
【図１１】
2020534497.tif 000021
【国際調査報告】
2020534497.tif 000022
2020534497.tif 000023
2020534497.tif 000024
2020534497.tif 000025
2020534497.tif 000026